(57)【要約】【課題】固体酸化物形燃料電池昇温用バーナにおいて、バーナ材を貫通する割れの発生を防止し、燃焼が行われるバーナ材の下流部における燃焼ガスの流速の乱れを緩和する。【解決手段】燃料極、空気極、及び、固体のセラミックスで形成された電解質を含み、この電解質が前記燃料極と前記空気極とで挟み込まれた構成を有する複数個の単位セルを備えた固体酸化物形燃料電池発電システムに用いる固体酸化物形燃料電池昇温用バーナであって、バーナ用燃料とバーナ用空気とを混合して予混合気とするための予混合部と、この予混合気を燃焼させる燃焼面を構成するバーナ材とを含み、このバーナ材が、前記予混合気の流れ方向に積層された第一のセラミックス多孔体及び第二のセラミックス多孔体を含み、前記第二のセラミックス多孔体を、前記第一のセラミックス多孔体から見て、前記予混合気の流れ方向の上流側に設置する。【選択図】図２Ａ
2010231954.tif 000002
【特許請求の範囲】
【請求項１】
燃料極、空気極、及び、固体のセラミックスで形成された電解質を含み、この電解質が前記燃料極と前記空気極とで挟み込まれた構成を有する複数個の単位セルを備えた固体酸化物形燃料電池発電システムに用いる固体酸化物形燃料電池昇温用バーナであって、バーナ用燃料とバーナ用空気とを混合して予混合気とするための予混合部と、この予混合気を燃焼させる燃焼面を構成するバーナ材とを含み、このバーナ材が、前記予混合気の流れ方向に積層された複数のセラミックス多孔体を含むことを特徴とする固体酸化物形燃料電池昇温用バーナ。
【請求項２】
さらに、前記予混合気を冷却するためのバーナ冷却手段を含み、前記複数のセラミックス多孔体は、第一のセラミックス多孔体及び第二のセラミックス多孔体を含む構成であり、前記第二のセラミックス多孔体が、前記第一のセラミックス多孔体から見て、前記予混合気の流れ方向の上流側に設置され、前記バーナ冷却手段が、前記第一のセラミックス多孔体及び／又は前記第二のセラミックス多孔体を支持し、かつ、冷却するための固体の伝熱部材を有することを特徴とする請求項１記載の固体酸化物形燃料電池昇温用バーナ。
【請求項３】
前記第一のセラミックス多孔体及び前記第二のセラミックス多孔体のそれぞれが、又は前記第一のセラミックス多孔体若しくは前記第二のセラミックス多孔体が、前記予混合気の流れ方向に対して垂直な方向に複数枚のセラミックス多孔体断片を並べた構成であることを特徴とする請求項１又は２に記載の固体酸化物形燃料電池昇温用バーナ。
【請求項４】
前記予混合気の流れ方向に積層された前記第一のセラミックス多孔体及び前記第二のセラミックス多孔体の局所的な通風抵抗の、前記予混合気の流れ方向に対して垂直な平面におけるばらつきが２０％以下であることを特徴とする請求項１〜３のいずれか一項に記載の固体酸化物形燃料電池昇温用バーナ。
【請求項５】
前記予混合部が、中心部流路及び環状部流路を有する複数の同軸噴流ノズルで構成され、前記複数の同軸噴流ノズルが、前記予混合気の流れ方向に対して垂直な平面に配置されたクラスタノズルを形成していることを特徴とする請求項１〜４のいずれか一項に記載の固体酸化物形燃料電池昇温用バーナ。
【請求項６】
前記中心部流路に前記バーナ用燃料を流し、前記環状部流路に前記バーナ用空気を流すことを特徴とする請求項５記載の固体酸化物形燃料電池昇温用バーナ。
【請求項７】
前記クラスタノズルと前記バーナ材との間に、前記バーナ用燃料と前記バーナ用空気との混合を促進するための混合促進部材を設置したことを特徴とする請求項５又は６に記載の固体酸化物形燃料電池昇温用バーナ。
【請求項８】
前記クラスタノズルが矩形状平板に設置され、前記クラスタノズルに供給する前記バーナ用空気のヘッダーが、前記矩形状平板の長尺側に接続されていることを特徴とする請求項５〜７のいずれか一項に記載の固体酸化物形燃料電池昇温用バーナ。
【請求項９】
燃料極、空気極、及び、固体のセラミックスで形成された電解質を含み、この電解質が前記燃料極と前記空気極とで挟み込まれた構成を有する複数個の単位セルを備えた固体酸化物形燃料電池発電システムであって、請求項１〜８のいずれか一項に記載の固体酸化物形燃料電池昇温用バーナを具備することを特徴とする固体酸化物形燃料電池発電システム。
【発明の詳細な説明】
【技術分野】
【０００１】
本発明は、固体酸化物形燃料電池昇温用バーナ及びこれを用いた固体酸化物形燃料電池発電システムに関する。
【背景技術】
【０００２】
固体酸化物形燃料電池は、固体電解質の一方の側に空気極を、他方の側に燃料極を設けてなる多数の単セルを重ね合わせる、あるいはつなぎ合わせることにより、全体を所定の発電可能温度にまで昇温させる必要がある。
【０００３】
昇温方法には、ヒータによる昇温とバーナ燃焼による昇温とに大別され、従来の燃料電池の昇温方法においては、燃料電池の周囲に取り付けた電気ヒータによる加熱や空気極へ供給する空気管に加熱装置を設けて高温に加熱した空気を供給する方法などが採られている。
【０００４】
上記の加熱装置には、バーナ燃焼による昇温も含まれるが、間接昇温といって燃焼ガスとセルとは直接接触させず、間接的に燃焼ガスの熱をセル側に伝熱させることにより、セルを加熱する方法が比較的信頼性の高い方法であった。
【０００５】
しかしながら、近年、実用化の面から短時間起動や低消費電力化が求められてきており、バーナ燃焼ガスによる直接加熱方式が最も適した昇温方法として注目されている。
【０００６】
この場合、特に、燃料極側の加熱に関しては、燃焼ガス中に酸素などの酸化性ガスが接触すると燃料極が酸化され、導電性や電極活性が失われるため、一般には、燃焼未反応の酸素が存在しない還元性雰囲気の燃焼ガスが要求されることになる。
【０００７】
このため、燃料極側の燃焼バーナには、化学反応量論比よりも過剰な燃料を空気と均一に予混合させて未反応の酸素や煤の発生のない不完全燃焼をさせること、さらには、予混合燃焼に生じやすいバーナの逆火や失火のないこと等、信頼性の高い燃焼技術が要求され、これまで技術的に非常に難しいとされていた。
【０００８】
直接昇温方式を用いる従来技術としては、例えば、特許文献１に開示されているように、バーナにふく射伝熱特性に優れた表面バーナを用いてその燃焼ガスでセルを直接加熱する方法が挙げられる。
【０００９】
あるいは、例えば、特許文献２には、同軸噴流ノズルを多数配置し、ノズル内側に燃料を、外側に空気を流し、ノズル出口近傍の非常に短い区間において予混合及び予混合燃焼を行わせる燃焼バーナの構成が開示されている。
【００１０】
また、予混合燃焼における極めて重要な技術課題として、上述の逆火の問題がある。これは、燃焼ガスの流速が燃焼速度に比べて遅い場合、あるいは、予混合気の温度が発火温度を超える場合に、バーナよりも上流側の予混合気に火が移る現象であり、安全で、かつ、安定した燃焼やバーナ自体を損傷させないためにも避けなければならない。
【００１１】
その逆火防止技術の例としては、例えば、特許文献３に開示されているように、予混合気を冷却するため、予混合室内に冷却配管を設ける方法がある。
【００１２】
また、特許文献４には、改質器または燃料電池の温度分布の均一性を向上すること、また、発電時に供給される改質用燃料と水蒸気、あるいは空気などとの混合気の濃度分布の均一性を向上することを目的として、燃料電池と、水素を含む改質ガスを生成する改質器とを備えた燃料電池システムであって、前記改質器または燃料電池の加熱源、又は、前記改質ガスを生成する原料の混合手段に、同軸噴流ノズルで構成されるクラスターバーナを設置した燃料電池発電システムが開示されている。
【先行技術文献】
【特許文献】
【００１３】
【特許文献１】特開２００２−２８００５３号公報
【特許文献２】特開２００７−００５１８０号公報
【特許文献３】特開２００８−０９７９３６号公報
【特許文献４】特開２００６−１９０５８０号公報
【発明の概要】
【発明が解決しようとする課題】
【００１４】
本発明の目的は、バーナ材を貫通する割れの発生を防止し、燃焼が行われるバーナ材の下流部における燃焼ガスの流量（流速）の乱れを緩和するとともに、予混合室をコンパクト化し、高負荷燃焼が可能で、かつ、燃焼安定性（逆火・失火防止）に優れ、煤の発生がなく、昇温過程におけるセル燃料極の劣化を防止し、短時間で燃料電池を昇温させることができる燃料極側バーナを提供することを目的とする。
【課題を解決するための手段】
【００１５】
本発明の固体酸化物形燃料電池昇温用バーナは、燃料極、空気極、及び、固体のセラミックスで形成された電解質を含み、この電解質が前記燃料極と前記空気極とで挟み込まれた構成を有する複数個の単位セルを備えた固体酸化物形燃料電池発電システムに用いる固体酸化物形燃料電池昇温用バーナであって、バーナ用燃料とバーナ用空気とを混合して予混合気とするための予混合部と、この予混合気を燃焼させる燃焼面を構成するバーナ材とを含み、このバーナ材が、前記予混合気の流れ方向に積層された第一のセラミックス多孔体及び第二のセラミックス多孔体を含み、前記第二のセラミックス多孔体が、前記第一のセラミックス多孔体から見て、前記予混合気の流れ方向の上流側に設置されていることを特徴とする。
【００１６】
本発明の固体酸化物形燃料電池発電システムは、燃料極、空気極、及び、固体のセラミックスで形成された電解質を含み、この電解質が前記燃料極と前記空気極とで挟み込まれた構成を有する複数個の単位セルを備えた固体酸化物形燃料電池発電システムであって、上記の固体酸化物形燃料電池昇温用バーナを具備することを特徴とする。
【発明の効果】
【００１７】
本発明によれば、バーナ材を貫通する割れの発生を防止し、燃焼が行われるバーナ材の下流部における燃焼ガスの流量（流速）の乱れを緩和することができる。
【００１８】
また、本発明によれば、予混合室をコンパクト化するとともに、安定した高負荷燃焼を実現することができる。
【００１９】
さらに、本発明によれば、煤の発生を抑制し、昇温過程におけるセル燃料極の劣化を防止し、短時間で燃料電池を昇温させることができる。
【図面の簡単な説明】
【００２０】
【図１】本発明の固体酸化物形燃料電池モジュールの内部構造を模式的に示した縦断面図である。
【図２Ａ】本発明による第一の実施例を示す燃料側バーナの縦断面図である。
【図２Ｂ】図２Ａのクラスタノズル部を部分的に拡大して示した縦断面図である。
【図３】図２のＢ−Ｂ断面図である。
【図４】本発明による第二の実施例を示す燃料側バーナの縦断面図である。
【図５Ａ】本発明による第二の実施例における予混合室部を模式的に示した縦断面図である。
【図５Ｂ】本発明による第二の実施例における予混合室部を模式的に示した上面図である。
【図６】本発明による第三の実施例を示すクラスタノズルの斜視図である。
【図７】本発明による第三の実施形態を示すクラスタノズルの部分縦断面図である。
【図８】本発明による第三の実施例を示す冷却通路の斜視図である。
【図９】本発明による第一の実施例の変形例を示す燃料側バーナの縦断面図である。
【発明を実施するための形態】
【００２１】
本発明は、固体酸化物形燃料電池システムに関するものであり、特に、電池アノード側の昇温のための燃焼バーナに関する。
【００２２】
特許文献１の表面バーナによる昇温では、金属繊維をバーナ材として使用しているため、バーナ材の耐熱性の面から、急速起動に必要な１０００℃程度の高い燃焼温度を得ることが困難である。また、逆火対策や予混合気濃度の均一化、予混合部のコンパクト化などの課題、すなわち、表面燃焼バーナや予混合燃焼方式を用いる上で考慮しなければならない課題について解決するためのバーナの構造に関して開示されていない。
【００２３】
特許文献２の同軸噴流ノズルバーナ（クラスタノズルバーナと称する。）に関しては、燃焼実験において、燃料と空気との急速混合が十分ではない場合があり、火炎が伸長し、輝炎や煤が発生することがあった。これは、特に燃料極側のバーナにおいて、燃料過剰な運転条件の場合に流速が不足気味になりやすいため、燃料と空気との混合が不十分となり、本来の機能である急速混合及び予混合燃焼が十分に発揮できなかったことによる。すなわち、固体酸化物形燃料電池においては、現行のクラスタノズルを燃料極側の予混合燃焼バーナとして適用することが困難であり、固体酸化物形燃料電池の条件にあったノズル設計を行ったとしても、微細加工が必要であり、コストの面で課題が残るものであると考える。
【００２４】
特許文献３では、（１）予混合器室内に冷却配管を通して冷却、（２）バーナ本体（特に構造には触れていない）及びバーナ燃焼室周囲に冷却配管を通して冷却するとあるが、（１）に関しては予混合器室に冷却配管が通るため、予混合気室のスペースが大きくなり、バーナのコンパクト化の点で改善が必要である。また、構造的にも複雑になる。
【００２５】
（２）に関しては、その冷却配管の配置から見て、予混合気を冷却する効果よりも、燃焼ガス温度を下げる効果のほうが大きい。これにより、確かに発明の目的の一つである熱回収効果は増えるが、燃焼ガス温度が下がることは、急速起動の面からは逆効果となる。また、火炎を形成するバーナ本体と冷媒が近いということは、火炎が冷媒の影響を受けやすいことを意味しており、制御の面でも高度な冷媒の流量調整が必要となる。すなわち、冷媒が多いと失火し易く、逆に、冷媒が少ないと逆火し易くなってしまう。
【００２６】
さらに、上記（１）及び（２）に共通して言えることであるが、バーナの構造には触れていないため、表面燃焼バーナ特有の逆火防止対策として特に考慮されなければならないバーナ材の温度管理という観点から見た逆火防止の具体的方策については開示されていない。
【００２７】
上記課題を解決するため、本発明は、固体のセラミックスよりなる電解質を挟んで燃料極と空気極を備えた固体酸化物形燃料電池の単位セルを複数個備え、前記燃料電池を昇温するための燃焼バーナを備えた発電システムにおいて、少なくとも前記セルの燃料極側を加熱する燃焼バーナがセラミックス多孔体を材料とする表面バーナであり、かつ前記表面バーナの上流側に多数の同軸噴流ノズルで構成されたクラスタノズルを前記表面バーナ面と平行に平面配置したことを特徴とする。
【００２８】
本発明の望ましい実施態様においては、前記表面バーナは、セラミックス多孔体を複数個積層した構造であり、前記表面バーナに接し、かつ、前記表面バーナの上流側に金属製のパンチングボードを設置し、かつ、前記多数の同軸噴流ノズルを構成するノズル部と前記パンチングボードとが、熱伝導率の高い伝熱部材で熱的に接続されている。
【００２９】
更には、前記平面配置された多数の同軸噴流ノズル部の周囲には冷却通路を備えている。
【００３０】
表面バーナ材の上流側に温度センサを備え、バーナ材の上流側温度を監視し、その温度変化に応じて前記冷却通路に流す冷却媒体の流量を調節することにより前記バーナ材上流側温度を制御する。
【００３１】
本発明の望ましい他の実施態様においては、前記表面バーナと前記クラスタノズル間にパンチングボードが挿入される。
【００３２】
また、本発明の望ましい他の実施態様においては、多数の同軸噴流ノズルに供給される空気は該ノズル部の直下に設けた直方体容器である空気室から供給され、更にその空気室の長尺側の両サイドに設けた空気ヘッダーを介して供され、該ノズルに供給される燃焼用燃料は前記空気室の直下に設けられ多燃料ヘッダーから前記空気室を貫通する燃料導入管を介して供給される。
【００３３】
以下、図面に基づいて本発明の実施例を説明する。
【実施例１】
【００３４】
図１は、本発明の固体酸化物形燃料電池モジュールの内部構造を模式的に示した縦断面図である。
【００３５】
本図において、燃料電池モジュールは、上から順に、酸化剤側バーナ１、外部から酸化剤が供給される酸化剤容器２、複数の単位セル３が収納されたセル容器４、燃料が供給される燃料容器５及び燃料側バーナ６を含む構成となっている。また、本実施例において、セル容器４は断熱材７で覆われている。
【００３６】
酸化剤側バーナ１においては、燃焼用燃料（バーナ用燃料）と燃焼用空気（バーナ用空気）とが予混合部８で混合された後、予混合気９となり、表面バーナ部１０に送られて燃焼する。
【００３７】
発電時においては、外部から酸化剤容器２に発電用の酸化剤１３が供給され、複数の空気導入管１１に酸化剤である空気を分配する。一方、起動時の電池の昇温過程においては、酸化剤側バーナ１からの燃焼ガス１２が酸化剤容器２を介して空気導入管１１に分配される。
【００３８】
燃料側バーナ６においては、燃焼用燃料と燃焼用空気とが予混合部１４で混合された後、予混合気１５となり、表面バーナ部１６に送られて燃焼する。
【００３９】
発電時においては、燃料側容器５に発電用燃料１９が供給され、整流板１７を介して各単位セル３の燃料極側に送られる。一方、起動時の電池の昇温過程においては、燃料側バーナ６からの燃焼ガス１８が整流板１７を介して各単位セル３の燃料極側に送られる。
【００４０】
本実施例において、セル容器４は、二つの単位容器２０及び２１から成り立ち、それぞれの単位容器２０及び２１に複数の単位セル３が収納されている。そして、電池モジュールの製作面から発電容量に応じて並べる単位容器２０、２１の数を決める方式をとっている。本実施例においては、２個の単位容器２０、２１であるが、酸化剤側バーナ１、燃料側バーナ６はそれぞれ一つでまかなう方式をとっている。
【００４１】
セル容器４内の単位セル３は円筒型であり、円筒型の電解質を挟んで内側が空気極側、外側が燃料極側である。空気導入管１１に入った発電用空気（酸化剤１３）若しくは燃焼ガス１２は、単位セル３内部の下部から導入され、上側にＵターンして空気極と接触しながら上向きに流れる。
【００４２】
発電時には、空気極にて電気化学反応により空気中の酸素から酸素イオン及び電子を生成する反応が生じる。一方、起動時には、燃焼ガス２２により、単位セル３の空気極側が直接加熱される。
【００４３】
また、整流板１７を通った燃料側バーナ６からの燃焼ガス２３は、燃料極と接触しながら上向きに流れる。
【００４４】
発電時には、燃料極にて電気化学反応により、酸素イオンと電子と水素若しくは一酸化炭素とから水及び二酸化炭素を生成する反応が生じる。一方、起動時には、燃焼ガスにより、単位セル３の燃料極側が直接加熱される。この燃焼ガスによる単位セル３の直接加熱により、発電が可能な燃料電池の作動温度である７００℃以上にまで昇温される。空気極側及び燃料極側を流れるそれぞれの燃焼ガス２２及び２３は単位セル３の上部で合流し、燃焼排ガスとしてセル容器４（電池モジュール）から排出される。
【００４５】
ここで、セル昇温用の酸化剤側バーナ１及び燃料側バーナ６の燃焼条件について述べる。
【００４６】
酸化剤側バーナ１においては、燃料供給量と燃焼用空気供給量との比を、化学反応量論比よりも空気の量を多くした、いわゆる希薄燃焼を行わせる。これは、燃焼ガスを酸化雰囲気に維持して空気極側が還元されないようにするためである。
【００４７】
一方、燃料側バーナ６においては、燃料供給量と燃焼用空気供給量との割合を、化学反応量論比よりも燃料の量を多くした、いわゆる燃料過剰燃焼を行わせる。これは、燃焼ガスを還元雰囲気に維持して燃料極が酸化されないようにするためである。
【００４８】
いずれもセルの劣化を防止する観点から定められたものであるが、燃焼面から見た場合、燃料側バーナ６の方が技術的に難しい。なぜなら、燃料過剰燃焼の場合、予混合が悪く、燃料が空気に対して過剰な領域ができると、煤が発生し、下流の整流板１７に付着して流路を閉塞させて燃料の分配に偏りが生じる、あるいは、セル燃料極にも煤が付着する等の不具合が起こるからである。これは発電にとって好ましくなく、最悪の場合、運転できなくなる。
【００４９】
これを防ぐためには、当量比で１．１〜１．２程度の予混合気をバーナ１６全面に均一に形成することが望ましい。
【００５０】
また、当量比が比較的理論当量比に近いことから、断熱火炎温度は２０００℃以上になるため、燃料に不活性ガスである窒素を加えて、燃料の体積あたりの発熱量を低減させる必要がある。しかし、バーナ表面の燃焼温度は１０００℃近傍と高いため、上述のように、逆火が生じやすくなる。このため、その対策も必要となる。
【００５１】
図２Ａは、本発明による第一の実施例を示す燃料側バーナの縦断面図である。
【００５２】
本図において、燃料側バーナの最下部に燃料ヘッダー２４があり、その両側に空気ヘッダー２５がある。燃料ヘッダー２４の上方には、空気室２６を設置している。
【００５３】
空気室２６の上面には、多数の同軸噴流ノズル２７で構成されたクラスタノズル部２８が設けられ、空気室２６の内部にはクラスタノズル部２８の噴口部２９につながる細い燃料配管３０が同軸噴流ノズル２７と同数配置されている。
【００５４】
図２Ｂは、図２Ａのクラスタノズル部２８の噴口部２９を含む部分を拡大して示した縦断面図である。
【００５５】
クラスタノズル部２８のそれぞれの同軸噴流ノズル２７は、中心部に燃料配管３０を設けた二重管構造となっている。この同軸噴流ノズル２７の環状部に空気が流れ、噴口部２９において燃料配管３０を流れる燃料と合流して予混合気となる構造である。
【００５６】
クラスタノズル部２８の周縁部の下面には、冷却通路３１がクラスタノズル部２８の周囲を囲うように設けられている。
【００５７】
クラスタノズル部２８の下流側には、予混合室１４が設けてあり、その下流側には金属製のパンチングボード３２に支えられた形でバーナ材３３が設けてある。
【００５８】
バーナ材３３の材質はセラミックス多孔体であり、薄い直方体の形状である。このバーナ材が二段に積層されており、パンチングボード３２と接している。また、バーナ材３３は押さえ板３４により固定されている。
【００５９】
パンチングボード３２は、熱伝導率の高い金属製のバーナ外枠３５で支持され、かつ、クラスタノズル部２８と熱的にも物理的にもつながっている。すなわち、パンチングボード３２が高温度になる場合、バーナ外枠３５を介してクラスタノズル部２８に熱を放散させることができるようになっている。
【００６０】
言い換えると、冷却通路３１、パンチングボード３２、バーナ外枠３５及びクラスタノズル部２８は、予混合気を冷却するためのバーナ冷却手段を構成するものであり、このバーナ冷却手段が、二段に積層されたバーナ材３３を支持する。したがって、パンチングボード３２、バーナ外枠３５及びクラスタノズル部２８は、バーナ材３３を支持し、かつ、冷却するための固体の伝熱部材と呼ぶことができる。
【００６１】
バーナ材３３の下流側には、バッフル板３８及び案内板４２が設けてあり、更にその下流側にグレーチング４１及び整流板１７に支持されたセル集合体を収納する単位容器２０、２１が設置してある。
【００６２】
予混合室１４及びバーナ材３３の周囲は、断熱ボード４３で囲まれている。また、その外側は保温材４４で覆われており、熱損失の低減を図っている。
【００６３】
燃料ヘッダー２４に供給された燃焼用燃料は、多数の燃料配管３０（細径管）に分配され、噴口部２９に導かれる。また、燃焼用空気は、図２Ａに示すように、左右に分かれた空気ヘッダー２５に供給され、空気室２６に導かれる。空気室２６は上下２段に整流用仕切板３６により分離されており、空気ヘッダー２５に入った空気１００は、下段空気室２０１の入口部に設けられた空気供給口３７を通って下段空気室２０１に入り、さらに、整流用仕切板３６と燃料配管３０との間に設けられた間隙（図示せず）を通って上段空気室２０２に入った空気は上向きの流れに転じ、噴口部２９に向かう。
【００６４】
噴口部２９において、燃料と空気との混合が開始され、予混合気は、予混合室１４にて更に混合を進展させながらバーナ材３３に向かって流れる。クラスタノズル部２８において混合が促進されるため予混合室１４の高さを短くすることができ、バーナ全体、ひいては電池モジュールの高さを低くすることができる。
【００６５】
予混合気は、バーナ材３３にて表面燃焼により燃焼ガス１８となる。その燃焼ガスは、バッフル板３８によって流れの方向を変える。そして、ガスヘッダー４０を介して冷却ノズル３９から噴出する窒素ガスと混合されることにより、セルを昇温するのに適した温度に調節される。温度調整された燃焼ガスは案内板４２、グレーチング４１及び整流板１７を通って単位容器２０、２１に流入し、単位容器２０、２１の内部に収納された単位セル３の燃料極側を加熱する。
【００６６】
短時間起動を行うには多量の燃焼熱が必要であるため、表面バーナ（バーナ材３３）の寸法も燃焼熱量に比例して大きくする必要がある。したがって、バーナ材３３の寸法を極力押さえるためには、単位バーナ面積当たりの燃焼量すなわち燃焼負荷を大きくしなければならない。この結果、バーナ材３３の下流側表面温度は燃焼負荷量が大きい場合には１０００℃にも達する。耐熱性に面から、本実施例においては、バーナ材３３としてセラミックス多孔体（例えば、気孔率７５±１．５％、嵩密度１．０〜１．１ｇ／ｃｍ３、材質は重量基準でＡｌ２Ｏ３が９８％、その他、Ｓｉ等が２％）を用いている。
【００６７】
しかしながら、このような高温燃焼では、しばしば、熱衝撃やセラミックス製のバーナ材３３と周囲との熱伸び差などによって熱応力が発生し、バーナ材３３に亀裂が生じ、割れる場合がある。バーナ材３３を厚さ方向に貫通する割れが生じると、燃焼が行われるバーナ材３３の下流部において、貫通割れの間隙からの燃焼ガスの流量（流速）が周囲よりも局所的に増加する。その結果、燃焼が不安定になり、逆火、失火、未燃分の増加、又は煤の発生等の原因となる。
【００６８】
本実施例においては、図２Ａに示すように、バーナ材３３を２段に積層しているため、いずれかのバーナ材３３に亀裂が発生しても、その亀裂が片方のバーナ材３３にとどまる。このため、２枚のバーナ材３３を貫通する割れの発生を防止することができ、燃焼が行われるバーナ材３３の下流部における燃焼ガスの流量（流速）の乱れが緩和される。
【００６９】
さらに、バーナ材３３としてセラミックス多孔体を積層して用いることによるもう１つの効果を説明する。
【００７０】
バーナ材３３の気孔率分布が均一（一様）でない場合、バーナ材３３が単層（１枚）であれば、バーナ材３３の各部における気孔率の差に伴ってバーナ材３３の厚さ方向の流動抵抗すなわち圧力損失が異なる場合があるため、燃焼が行われるバーナ材３３の下流部において均一な流量分布は得られないことになる。
【００７１】
これに対して、バーナ材３３が積層したセラミックス多孔体であれば、それぞれのバーナ材３３の気孔率ばらつきを考慮し、バーナ材３３の下流側の面内で厚さ方向の圧力損失をできるだけ均一になるように組合わせることができる。その結果、バーナ材３３の流動抵抗をできるだけ均一にすることができる。これにより、表面バーナにおける均一燃焼が可能となり、煤や残存酸素の発生を防止することができる。
【００７２】
このことについて図９を用いて更に具体的に説明する。
【００７３】
図９は、本発明による第一の実施例の変形例を示す燃料側バーナの縦断面図である。
【００７４】
図２Ａと異なる点は、積層された２枚のバーナ材１５１、１５２がそれぞれ、複数枚のセラミックス多孔体断片１６１、１６２を並べた構成となっていることである。すなわち、本図において、複数のセラミックス多孔体断片１６１が、予混合気の流れ方向に対して垂直な方向（水平方向又は横方向と呼んでもよい。）に並べられ、バーナ材１５１を構成している。同様にして、複数のセラミックス多孔体断片１６２が、予混合気の流れ方向に対して垂直な方向に並べられ、バーナ材１５２を構成している。
【００７５】
ここで、積層された２枚のバーナ材１５１及び１５２を構成する部材をそれぞれ、第一のセラミックス多孔体及び第二のセラミックス多孔体と呼んでもよい。すなわち、バーナ材１５１、１５２は、予混合気の流れ方向に積層された第一のセラミックス多孔体及び第二のセラミックス多孔体を含み、第二のセラミックス多孔体が、第一のセラミックス多孔体から見て、予混合気の流れ方向の上流側に設置されている、と言うことができる。
【００７６】
本図においては、これらの第一のセラミックス多孔体及び第二のセラミックス多孔体の両方が、予混合気の流れ方向に対して垂直な方向に複数枚のセラミックス多孔体断片１６１、１６２を並べた構成としている。この構成に関しては、本図に限定されることはなく、バーナ材１５１（第一のセラミックス多孔体）のみ、又はバーナ材１５２（第二のセラミックス多孔体）のみが複数枚のセラミックス多孔体断片１６１又は１６２を並べた構成としてもよい。
【００７７】
上記の構成においては、初めからバーナ材１５１、１５２がセラミックス多孔体断片１６１、１６２に分割されているため、燃料に伴う熱応力がバーナ材１５１、１５２に加わった場合でも、応力集中が生ずることが少なくなり、バーナ材１５１、１５２の破損を防止することができる。また、予混合気の流れ方向に積層されたセラミックス多孔体断片１６１、１６２の寸法を異なるものとすることにより、バーナ材１５１又は１５２を構成するために予混合気の流れ方向に対して垂直な方向に配置されたセラミックス多孔体断片１６１又は１６２の継目を、他のセラミックス多孔体断片１６２又は１６１により覆うことができるため、予混合気がその継目を吹き抜けてしまうことがないようにすることができる。例えば、相隣る複数のセラミックス多孔体断片１６１の継目（境界部分）を積層されたセラミックス多孔体断片１６２により覆うことができ、上記の継目が予混合気の流れ方向に重なることがないように配置することができる。
【００７８】
バーナ材１５１、１５２の通風抵抗分布の低減、すなわち、バーナ材１５１、１５２の通風抵抗を一様にするための構成に関しては、バーナ材１５１（第一のセラミックス多孔体）を構成するセラミックス多孔体断片１６１と、バーナ材１５２（第二のセラミックス多孔体）を構成するセラミックス多孔体断片１６２との通風抵抗の和が、予混合気の流れ方向に対して垂直なバーナ材１５１、１５２の各位置においてほぼ等しくなるように、あらかじめセラミックス多孔体断片１６１、１６２の気孔率又は通風抵抗を測定してセラミックス多孔体断片１６１、１６２の配置を調整することが望ましい。
【００７９】
この調整の結果として、予混合気の流れ方向に対して垂直な平面における上記通風抵抗の和のばらつきが２０％以下であることが望ましい。このばらつきは、１０％以下であることが更に望ましい。積層されたセラミックス多孔体断片１６１及び１６２の気孔率の和に関しても、同様に、ばらつきが２０％以下であることが望ましく、１０％以下であることが更に望ましい。
【００８０】
上記のばらつきは、予混合気の流れ方向に積層された第一のセラミックス多孔体及び第二のセラミックス多孔体の局所的な通風抵抗のばらつきと言い換えることができる。
【００８１】
図２Ａに戻り、バーナ全体の構成について更に説明する。
【００８２】
バーナ全体は、放熱量を抑えるため、断熱材や保温材で覆われている。その結果、燃焼部以外の部分、例えば、予混合室１４、燃料ヘッダー２４、空気ヘッダー２５及び空気室２６の温度も上昇するが、特にバーナ材３３の上流側（図２ではパンチングボード側）の温度が高くなると、それまでバーナ材３３下流側の近傍に保持されていた火炎がバーナ材の内部に戻る現象が生じ、燃焼が不安定になる。最悪の場合、火炎が予混合室１４まで戻る異常燃焼（逆火）に至る。
【００８３】
そこで、本実施例においては、表面バーナの逆火を防止する上で重要となる監視ポイントとして、バーナ材３３の上流側の温度に着目した。このバーナ材３３の上流側の温度変化をモニターし、温度上昇速度が高くなる場合に、その温度上昇を抑える手段を講じることにより逆火を未然に防ぐことができた。
【００８４】
温度上昇を抑える手段として、本実施例においては、冷却通路３１内に水を流し、クラスタノズル部２８、バーナ外枠３５、パンチングボード３２を通してバーナ材３３の上流部を熱伝導により冷却することにより、バーナ材３３の上流側の温度上昇を抑制した。特に、バーナ外枠３５の材質を熱伝導率の高い部材にする、或いはバーナ外枠３５の厚みを増すことにより、一層迅速な冷却を行うことができる。
【００８５】
本実施例によれば、短時間起動に必要な高負荷かつ高温度の燃焼を実現するとともに、燃焼の安定性を向上し、均一な燃焼を行うことが可能となるため、煤の発生や、未反応の残存酸素のない、還元雰囲気の燃焼ガスを生成することができる。そして、セルの電極活性を低下させることなく安全に昇温することができる。
【００８６】
図３は、図２ＡのＢ−Ｂ断面図であり、クラスタノズル部２８の配列状態を示したものである。６行２５列（１５０個）のノズルが格子状に配列されている。本実施例においては、単位容器２０、２１が２個並んでいるため、表面バーナの形状は長方形状である。
【実施例２】
【００８７】
本発明の第二の実施例について図４、図５Ａ、及び図５Ｂに示す。
【００８８】
本実施例においては、実施例１のクラスタノズル部２８と表面バーナ材３３との間にある予混合室にパンチングボード５０を新たに設置したものである。
【００８９】
図５Ａに示すように、クラスタノズル噴口部２９を出た予混合気は、この新たなパンチングボード５０に衝突したあと、パンチングボード孔５１から流出し、バーナ材へと向かう。このため、図５Ｂに示すように、クラスタノズル噴口部２９の配置を千鳥配列とし、パンチングボード側は、パンチングボード孔５１が、図５Ｂに示す上面図において相隣るクラスタノズル噴口部２９を頂点とする三角形の中心部（重心付近）に位置するようにパンチングボード孔５１の配列を定めた。
【００９０】
高負荷燃焼時には予混合気の流量が増加するため、予混合室１４の内部における流速が速くなる。この結果、予混合距離が足りなくなり、混合が予混合室内で完結しなくなる。本実施例のように、パンチングボード５０への衝突過程を入れることにより、クラスタノズル孔２９からの噴流コア部が崩され、混合が促進される。この結果、高負荷燃焼時でも、予混合室１４の高さを長くしなくても良好な混合が行えることができ、バーナのコンパクト化につながる。
【００９１】
なお、パンチングボード５０は、バーナ用燃料とバーナ用空気との混合を促進するための混合促進部材と呼ぶことができる。
【実施例３】
【００９２】
本発明の第三の実施例について図６及び図７を用いて説明する。図６は、バーナ下部のクラスタノズル部と空気ヘッダー部及び空気室の位置関係を示す鳥瞰図を示し、図７はその断面図を示す。
【００９３】
本実施例は、空気ヘッダー２５の配置に特徴がある。すなわち、図６に示すように、空気ヘッダー２５は空気室２６の両側に設置されるが、実施例１の図３で示したように、クラスタノズル噴口部２９の配列から定まるところの空気室２６の平面形状が長方形の場合、空気室２６の長尺側に空気ヘッダー２５を設置している。すなわち、クラスタノズルが矩形状平板に設置され、クラスタノズルに供給するバーナ用空気のヘッダー（空気ヘッダー２５）が、上記の矩形状平板の長尺側に接続されている。
【００９４】
図７に示す空気供給口３７の流路断面積は、空気ヘッダー２５を短尺側に設置した場合に比べて、長尺側に設置した方が大きくなるため、空気供給口３７を介して空気室下段２６Ｂに流入する空気流速を短尺側に設置した場合よりも遅くすることができる。その結果、流速が遅い分だけ空気室下段２６Ｂの内部における静圧分布の不均一さは小さくなる（静圧分布が均一になる）ため、整流用仕切板３６を経て空気室上段２６Ａに流入する空気流量分布もより均一化される方向に働く。
【００９５】
ところで、各クラスタノズル噴口部２９への燃料流量は、燃料ヘッダー（図示せず）を介してほぼ均一に分配されるが、空気の分配に関しては空気室上段２６Ａの内部における流量分布の影響を大きく受ける。
【００９６】
煤の発生や未反応の残存酸素を抑制するためには、各クラスタノズルに供給される燃料及び空気流量が均一でなければならない。空気流量が不均一になると、燃料濃度の不均一が生じ、結果的に燃料濃度の高い領域では煤が発生しやすくなり、逆に、燃料濃度の低い領域では酸素が残存することになり、燃料側バーナとしては好ましくない。
【００９７】
本実施例のように、空気ヘッダー２５を空気室２６の長尺側に配置することにより、クラスタノズルへの空気流量の一層の均一分配が図られ、バーナ部に到達する予混合気の燃料濃度も一様にすることができ、その結果、表面燃焼バーナにおいて均一燃焼が行われるため、煤や酸素のない還元雰囲気の燃焼ガスを生成することが可能となる。
【００９８】
さらに、空気室内の流量分布を均一にする手段について、同じく図６及び図７を用いて説明する。燃焼用空気は、バーナ下部に設けられた二股の空気配管６０を介して空気分岐ヘッダー６１に送られる。さらに、空気分岐ヘッダー６１から分岐管６２を通って空気ヘッダー２５の下部に入る。空気ヘッダー２５の下部から上向きに流入した空気を横向きにして空気室下段２６Ｂに導入するため、空気ヘッダー２５の形状はＬ字形に折り曲げられた形となっている。このため、空気ヘッダー２５の下部及び曲がり部において空気流れに偏りが生じやすくなる。図７に示すように、空気ヘッダー２５の内部には、空気ヘッダー２５の下部及び曲がり部の下流側の計２箇所に多孔整流板６３、６４を挿入している。
【００９９】
多孔整流板６３は、分岐管から流入した空気を整流化し、多孔整流板６４は、空気ヘッダー２５の曲がり部で生じた偏流を整流化する。
【０１００】
このような整流作用により、空気室下段２６Ｂの静圧分布はより一層均一化でき、上述のように、クラスタノズルへの空気流量の一層の均一分配が図られ、バーナ部に到達する予混合気の燃料濃度も更に一様化する。
【実施例４】
【０１０１】
本実施例は、図２、６及び７で示したバーナの冷却通路の形状に関するものである。
【０１０２】
図６には、冷却通路の一部が示されている。冷却通路の全体は、図８に示すものであり、空気室（図示せず）の側面全周を覆うように設置されている。更に詳細にみると、冷却通路は７０Ａと７０Ｂとに２分割されており、それぞれに冷却媒体の供給口７１Ａと７１Ｂとが対面に設けられ、さらに、それぞれの供給口から入った冷却媒体は二つに分岐され、それぞれの冷却通路の両端部に設けられた排出口７２から排出される。
【０１０３】
このように冷却媒体を分散して導入し、さらに分散させて排出することにより、バーナ全体及びバーナ材の局所的な温度低下を抑制することができる。特に冷却媒体として水を用いる場合は、冷却効果が大きいため、一箇所から供給・排出を行うと供給部に近い部位の温度が低下し、ひいては表面バーナの燃焼分布或いは温度分布に影響を及ぼし、均一な燃焼ガスが得られない、又は燃焼温度が低くなりすぎる等により、失火の原因にもつながる場合がある。本実施例の冷却通路構造であれば、冷却通路全域の温度分布を比較的小さくできるため、均一な燃焼を行うことができ、かつ安定した燃焼を行うことができる。
【０１０４】
本発明によれば、急速起動に必要な高負荷燃焼が可能になると同時に、逆火が生じにくく、均一で安定した還元雰囲気下の燃焼が実現できる。
【０１０５】
また、本発明によれば、コンパクトなバーナ構造を実現できる。
【０１０６】
さらに、本発明によれば、均一な予混合気が形成され、燃焼ガス組成には煤や未反応酸素が含まれず、昇温過程中でのセル燃料極の劣化を防止できる。
【０１０７】
バーナ材としては、以上の実施例において使用したバーナ材に限定されるものではなく、重量基準で（以下同じ。）ほぼ１００％アルミナ（Ａｌ２Ｏ３）で構成されたセラミックフォーム（気孔率８０〜９０％、嵩密度０．４ｇ／ｃｍ３以下）、又はシリカ（ＳｉＯ２）５０％、アルミナ（Ａｌ２Ｏ３）３４％、マグネシア（ＭｇＯ）１３％、酸化鉄（Ｆｅ２Ｏ３）１．６％等を含むセラミックプレート（気孔率７５％、嵩密度０．７ｇ／ｃｍ３）等も適用することができる。
【符号の説明】
【０１０８】
１：酸化剤側バーナ、３：単位セル、４：セル容器、６：燃料側バーナ、１４：予混合室、１５：予混合気、１６：表面バーナ部、１８：燃焼ガス、２５：空気ヘッダー、２６：空気室、２７：同軸噴流ノズル、２８：クラスタノズル部、３１：冷却通路、３２：パンチングボード、３３：バーナ材、３５：バーナ外枠。
【図１】
2010231954.tif 000003
【図２Ａ】
2010231954.tif 000004
【図２Ｂ】
2010231954.tif 000005
【図３】
2010231954.tif 000006
【図４】
2010231954.tif 000007
【図５Ａ】
2010231954.tif 000008
【図５Ｂ】
2010231954.tif 000009
【図６】
2010231954.tif 000010
【図７】
2010231954.tif 000011
【図８】
2010231954.tif 000012
【図９】
2010231954.tif 000013